(57)【要約】【課題】  フルキーボードと同等の入力機能を有し、キータッチの操作性を十分に確保した、片手入力が可能な携帯用キーボードを提供する。【解決手段】  本発明の携帯用キーボード１０は、従来のフルキーボードに比べてほぼ半数のキー数とし、一のキーに複数の入力文字を割り当て、片手での入力を可能としながら、従来のフルキーボードと同等の入力機能を有する。また、一のキーに割り当てられた複数の入力文字のキーアドレス数の出力を切替える切替え手段を備えた。さらに携帯に非常に好適な大きさながら、キーサイズをいたずらに小型化することなくキータッチの操作性を十分に確保した。また、入力方式も、従来のフルキーボードから大きく変更せずに、使用者がその入力方式に慣れやすいものとした。【選択図】        図２
2005215969.tif 000002
【特許請求の範囲】
【請求項１】
内部に電源を有する携帯システムに接続されて使用される携帯用キーボードであって、
当該携帯用キーボードの入力キー群が、フルキーボードの入力キー群が所定の仮想ラインを基準として２分された一方の第１入力キー群と同一の配列であって同一の態様でキーアドレス数を出力する、第１出力機能を有し、
前記第１入力キー群に含まれる入力キーそれぞれに対応する当該携帯用キーボードの入力キーが、該第１入力キー群に含まれる入力キーに対して前記所定の仮想ラインを基準として線対称にそれぞれ位置する、該第１入力キー群とは異なる第２入力キー群に含まれる入力キーが出力するキーアドレス数を出力する、第２出力機能をさらに有して、ＪＩＳ又はＡＳＣＩＩなどの標準規格で定められるフルキーボードの全てのキーアドレス数を出力可能であり、
前記第１出力機能と、前記第２出力機能と、のいずれかの機能を選択するための、選択状態を保持する状態保持式スイッチを、当該携帯用キーボードの入力キー群と同一面に備え、
前記第１出力機能と、前記第２出力機能と、のそれぞれによって当該携帯用キーボードの一の入力キーが出力可能な複数のキーアドレス数に対応するキー指標が、該一の入力キーそれぞれに標印されていることを特徴とする携帯用キーボード。
【請求項２】
前記状態保持式スイッチは、前記第１出力機能と、前記第２出力機能と、のいずれが選択されているかが視認可能となる様に、所定の標印と、発光する選択状況視認部と、を有し、
前記状態保持式スイッチの設定状況に従って、当該携帯用キーボードの入力キー群の識別態様を切替えることができる発光部を、それぞれの入力キーが備えたことを特徴とする請求項１に記載の携帯用キーボード。
【請求項３】
前記選択状況視認部と、前記発光部と、を発光させるための電源を備えたことを特徴とする請求項２に記載の携帯用キーボード。
【発明の詳細な説明】
【技術分野】
【０００１】
本発明は、主に携帯用情報端末に接続して使用する、携帯用ミニキーボードに関する。
【背景技術】
【０００２】
従来から、情報端末（ＰＤＡなどの携帯用情報端末など）のための携帯用入力装置としてのキーボードには、キーの数を減らして片手による入力を可能としたミニキーボードがある。例えば、母音、子音、半濁音などに注目して、これらに応じた専用のキー配列を採用し、複数のキーの入力の組合せによって、ひらがな、カタカナなどの文字について、ＪＩＳやＡＳＣＩＩの標準規格で定められたフルキーボードと同等の文字種を入力可能としたもの（例えば、特許文献１参照）や、キーの連続入力の順列・組合せを検出する手段を設け、一つの文字の入力の際に必ず複数の入力を行わせることにより、より少ないキー数で、フルキーボードと同等の文字種を入力可能としたもの（例えば、特許文献２参照）がある。
【０００３】
また、フルキーボードであっても、片手のみで入力できるようにしたキーボードがある（例えば、特許文献３参照）。これは、コンピュータシステムにおいて、片手でマウスなどのポインティングデバイスを使用しながら、もう一方の片手でキーボード入力を可能とすることを目的としている。この目的を達成するために、フットスイッチによって文字配列テーブルを切替える様に構成し、キーボードの右手と左手それぞれが分担する入力領域の片方の領域のみで、当該キーボードから入力可能な全ての文字種の入力を可能としている。このキーボードは、フットスイッチによる入力切替えによって、フルキーボードを縦に２分する所定の仮想ラインを基準に、線対称になる様に入力キーアドレスを反転して変更できるようになっている。
【０００４】
さらに、片手入力可能なフルキーボードであって、右手用入力領域と左手用入力領域の２つに分離可能で、かつ互いのキー入力機能を入れ替えることが可能なキー機能入れ替えスイッチを有したキーボードがある（例えば、特許文献４参照）。
【特許文献１】特開平６−１０２９７９号公報
【特許文献２】特開平６−２１４６９９号公報
【特許文献３】特開平５−１１９１１号公報
【特許文献４】実開平５−４２３９号公報
【発明の開示】
【発明が解決しようとする課題】
【０００５】
近年、ＰＤＡ（Personal Digital Assistants）や携帯電話機などの機能向上が目覚しく、それらに入力用キーボードを接続して、通常のコンピュータシステムと同じ感覚で使用できるようにするための外付けのキーボードが多数市場に出回っている。しかしながら、前述の先行文献で開示されている様なキーボードであると、入力方式が従来のフルキーボードと大きく異なるために、使用者は新しい入力方式に慣れなければならず、戸惑いを覚える。また、片手での入力は可能であっても、携帯に適す程度の大きさではなかった。このため、従来のフルキーボードと同等の入力機能を有し、かつ携帯に非常に好適な大きさながら、キーサイズをいたずらに小型化することなくキータッチの操作性を十分に確保しつつ、入力方式も従来のフルキーボードから大きく変更せずに、使用者がその入力方式に慣れやすい、片手入力が可能なキーボードが望まれていた。
【課題を解決するための手段】
【０００６】
前述の問題に鑑み、本発明はなされた。本発明の携帯用キーボードは、従来のフルキーボードに比べてほぼ半数のキー数とし、一のキーに複数の入力文字を割り当て、片手での入力を可能としながら、従来のフルキーボードと同等の入力機能を有する。また、一のキーに割り当てられた複数の入力文字のキーアドレス数の出力を切替える切替え手段を備えた。さらに携帯に非常に好適な大きさながら、キーサイズをいたずらに小型化することなくキータッチの操作性を十分に確保した。また、入力方式も、従来のフルキーボードから大きく変更せずに、使用者がその入力方式に慣れやすいものとした。
【０００７】
具体的には、本発明は、以下のものを提供する。
【０００８】
（１）  内部に電源を有する携帯システムに接続されて使用される携帯用キーボードであって、当該携帯用キーボードの入力キー群が、フルキーボードの入力キー群が所定の仮想ラインを基準として２分された一方の第１入力キー群と同一の配列であって同一の態様でキーアドレス数を出力する、第１出力機能を有し、前記第１入力キー群に含まれる入力キーそれぞれに対応する当該携帯用キーボードの入力キーが、該第１入力キー群に含まれる入力キーに対して前記所定の仮想ラインを基準として線対称にそれぞれ位置する、該第１入力キー群とは異なる第２入力キー群に含まれる入力キーが出力するキーアドレス数を出力する、第２出力機能をさらに有して、ＪＩＳ又はＡＳＣＩＩなどの標準規格で定められるフルキーボードの全てのキーアドレス数を出力可能であり、前記第１出力機能と、前記第２出力機能と、のいずれかの機能を選択するための、選択状態を保持する状態保持式スイッチを、当該携帯用キーボードの入力キー群と同一面に備え、前記第１出力機能と、前記第２出力機能と、のそれぞれによって当該携帯用キーボードの一の入力キーが出力可能な複数のキーアドレス数に対応するキー指標が、該一の入力キーそれぞれに標印されていることを特徴とする携帯用キーボード。
【０００９】
（１）の発明によれば、フルキーボードにおいて右手および左手それぞれが入力を受け持つ入力キーの機能を、携帯用キーボードにおいて、状態保持式スイッチの切替えによって、右手または左手のいずれかのみが行う入力操作の受付けに限定する。このため、状態保持式スイッチの操作のみの付加によって、フルキーボードにおいて左手および右手がそれぞれ受け持つ入力キーの配置を変えずに従来のフルキーボードとほぼ同様の入力操作性を維持しつつ、片手で入力可能とし、入力キーを集約し、入力キー数の削減を図った携帯用キーボードを実現することができる。
【００１０】
（２）  前記状態保持式スイッチは、前記第１出力機能と、前記第２出力機能と、のいずれが選択されているかが視認可能となる様に、所定の標印と、発光する選択状況視認部と、を有し、前記状態保持式スイッチの設定状況に従って、当該携帯用キーボードの入力キー群の識別態様を切替えることができる発光部を、それぞれの入力キーが備えたことを特徴とする（１）に記載の携帯用キーボード。
【００１１】
（２）  の発明によれば、携帯用キーボードは暗い場所で使用される場合が多く、また、フルキーボードに比べて操作性が多少異なるが、この操作性の差異による入力の不便を緩和し、かつ暗い場所での入力操作の助けとなる。
【００１２】
（３）  前記選択状況視認部と、前記発光部と、を発光させるための電源を備えたことを特徴とする（２）に記載の携帯用キーボード。
【００１３】
（３）の発明によれば、携帯システムの電源を使用せずに、携帯用キーボード自身の電源によって発光部などを発光させるので、携帯システムの電源の残電力に影響を与えず、携帯システムの駆動時間に影響を与えることがなくなる。
【発明の効果】
【００１４】
本発明によれば、フルキーボードにおいて左手および右手がそれぞれ受け持つ入力キーの配置を変えずに従来のフルキーボードとほぼ同様の入力操作性を維持しつつ、入力キーを集約し、入力キー数の削減を図った携帯用キーボードを実現することができる。
【発明を実施するための最良の形態】
【００１５】
図１〜図４を参照して、本発明の好適な実施例を説明する。
【００１６】
［携帯用ミニキーボード１０の概略］
図１を参照して、本発明の携帯用ミニキーボード１０の概略の説明を行う。
【００１７】
図１（a）は、携帯用ミニキーボード１０の外観の概略図である。携帯用ミニキーボード１０には、複数の入力キーと、切替えスイッチＳＷと、コネクタＣが備えられている。携帯用ミニキーボード１０が備える入力キーの数は、標準的なフルキーボードの約半数である。また、携帯用ミニキーボード１０の大きさは、図１（ａ）の表示における縦長は、標準的なフルキーボードとほぼ同じ長さであり、横長は標準的なフルキーボードの約半分の長さであるが、携帯に好適な程度の大きさであれば、特に具体的な数値に限定されない。また、携帯用ミニキーボード１０が備える複数の入力キーのそれぞれの大きさは、フルキーボードとほぼ同一の大きさである。また、各入力キーの材質は、後述する様に、入力キーボードの内部にＬＥＤなどの光源（図示せず）を備え、その光が透過する程度の透過性または半透過性を備える材質である。
【００１８】
携帯用ミニキーボード１０が備える切替えスイッチＳＷは、詳しくは後述するが、携帯用ミニキーボード１０が備える各入力キーの内部にそれぞれ備えられたキーアドレス出力スイッチが出力する複数のキーアドレスの態様を切替える、切替えた状態を保持する状態保持式スイッチである。そして、このスイッチＳＷの内部には、ＬＥＤなどの光源（図示せず）が備えられており、スイッチＳＷが“ｏｎ”のときその光源が点灯し、“ｏｆｆ”のときその光源は消灯する制御がなされる。本発明の携帯用ミニキーボード１０は、それぞれのキーアドレス出力スイッチが複数種類のキーアドレス数（具体的には、２種類キーアドレス）数を出力することによって、２つの入力キーを１つに集約することができ、その結果入力キーの数を削減することによって、キーボードの小型化を図る。
【００１９】
携帯用ミニキーボード１０が備えるコネクタＣは、ＰＳ／２やＵＳＢなどの標準規格で定められた形式のコネクタである。
【００２０】
図１（ｂ），（ｃ）を参照して、本発明の携帯用ミニキーボード１０の各入力キーに、どの様にキーアドレス数が割り振られるかの説明を行う。
【００２１】
図１（ｂ）は、フルキーボードの入力キーの配列を示す概略図である。このフルキーボードにおいて、ほぼ中心に、仮想的な中心線Ｌを引く。例えば、図１（ｂ）のフルキーボードの上から２段目の入力キー列において、図示するように、“１”〜“５”，“Ｉ”〜“Ｖ”の記号が付された入力キーがある。“１”〜“５”，“Ｉ”〜“Ｖ”が付された入力キーは、それぞれ異なるキーアドレス数が割り当てられている。これらのキーアドレス数が、本発明の携帯用ミニキーボード１０において、どの入力キーによって出力されるかは、次のとおりである。すなわち、図１（ｃ）左方図において、スイッチＳＷが“ｏｎ”の状態のとき、“Ｉ”〜“Ｖ”の記号が付された入力キーが、それぞれ割り当てられたキーアドレス数を出力し、図１（ｃ）右方図において、スイッチＳＷが“ｏｆｆ”の状態のとき、“１”〜“５”の記号が付された入力キーが、それぞれ割り当てられたキーアドレス数を出力する。すなわち、図１（ｂ）において、仮想ラインＬを基準にして線対称に位置する２つの入力キーが出力するキーアドレス数が、本発明の携帯用ミニキーボード１０においては、スイッチＳＷの“ｏｎ”，“ｏｆｆ”に従って、同一の入力キーによって出力される。
【００２２】
本発明の携帯用ミニキーボード１０が、上記のようなルールに従って、１つのキーに内蔵されるキーアドレス数出力スイッチが２つのキーアドレス数を出力可能とすることにより、従来のフルキーボードとほぼ同一のキー入力の操作性を維持しつつ、入力キー数の削減を図って、片手で入力可能とし、キーボードの小型化を達成することができる。また、使用者は、従来のフルキーボードと若干入力方法が異なる本発明の携帯用ミニキーボード１０の操作に、比較的早く習熟することができる場合がある。
【００２３】
なお、仮想的な中心線Ｌの定め方の一例として、フルキーボードにおける各指のホームポジションに基づいて左手指および右手指がそれぞれ入力を担当する入力キーのグループを分ける境界線を利用してもよい。この様にすることによって、正しいキーボードの入力方法をマスターしている使用者は、フルキーボードと同様の感覚で、本発明の携帯用ミニキーボードに対して左手または右手のいずれかの片手のみで入力操作を行うことができる。
【００２４】
［携帯用ミニキーボード１０の外観と入力キー配列の例］
図２は、本発明の携帯用ミニキーボード１０の外観と入力キー配列の例を示す図である。この図２に示した、各入力キーのキートップに記された標印は、それぞれの入力キーで入力可能な文字を示す。図２は、キー配列の一例を示す図である。
【００２５】
例えば、図２において、キートップに“５／６”と記された入力キーがある。この場合、スイッチＳＷが“ｏｎ”のときに、数字の“５”が入力可能であり、その入力キーに内蔵されるキーアドレス数出力スイッチは“５”に相当するキーアドレスを出力する。また、スイッチＳＷが“ｏｆｆ”のときに、数字の“６”が入力可能であり、その入力キーに内蔵されるキーアドレス数出力スイッチは“６”に相当するキーアドレスを出力する。その他、キートップに“／”で区切られた２つの文字・記号が記された入力キーは、同様に機能する。すなわち、スイッチＳＷが“ｏｎ”のときに、その入力キーに内蔵されるキーアドレス数出力スイッチが“／”の左側に記された文字・記号に該当するキーアドレス数を出力し、スイッチＳＷが“ｏｆｆ”のときに、その入力キーに内蔵されるキーアドレス数出力スイッチが“／”の右側に記された文字・記号に該当するキーアドレス数を出力する。その他、キートップに１つの文字・記号のみが記される入力キーは、スイッチＳＷの切替え状況にかかわらず、同一のキーアドレス数を出力する。
【００２６】
また、図２の切替えスイッチＳＷの下方に、切替えスイッチＳＷが示す状態が、“ｏｎ”であるか“ｏｆｆ”であるかを示す指標が記されている。使用者は、この指標を参考にして切替えスイッチＳＷが示す状態を判断し、切替えスイッチＳＷが“ｏｎ”であるか“ｏｆｆ”であるかを判断することができる。
【００２７】
［携帯用ミニキーボード１０の電気的構成の例］
図３は、携帯用ミニキーボード１０の電気的構成の例を示す図である。
【００２８】
携帯用ミニキーボード１０には、ｎ個の入力キーが備えられている。図に示す入力キーＫ１〜Ｋｍ，Ｋｍ＋１〜Ｋｎの内部には、それぞれキーアドレス出力スイッチＫＳＷ１〜ＫＳＷｍ，ＫＳＷｍ＋１〜ＫＳＷｎが備えられている。それぞれのキーアドレス出力スイッチは、それぞれの入力キーが押下されることに連動してスイッチが“ｏｎ”となり、切替えスイッチＳＷの切替え状態に従って、所定のキーアドレス数を出力可能である。なお、キーアドレス出力スイッチは、押下された状態を自身では保持せず、押下を解除すると自身で元の状態に復帰する非状態保持式スイッチである。ここで、キーアドレス出力スイッチＫＳＷ１〜ＫＳＷｍは、切替えスイッチＳＷの切替え状態に従って、２種類のキーアドレス数を出力可能であるのに対し、キーアドレス出力スイッチＫＫＳＷｍ＋１〜ＫＳＷｎは、切替えスイッチＳＷの切替え状態にかかわらず、１種類のキーアドレス数のみを出力する。すなわち、携帯用ミニキーボード１０は、全部でｎ個の入力キーを備え、そのうちのｍ個の入力キーそれぞれに内蔵されたキーアドレス数出力スイッチは２種類のキーアドレス数を出力可能であるのに対し、（ｎ−ｍ）個の入力キーそれぞれに内蔵されたキーアドレス数出力スイッチは１種類のみのキーアドレス数を出力する。
【００２９】
キーアドレス出力スイッチＫＳＷ１〜ＫＳＷｍ，ＫＳＷｍ＋１〜ＫＳＷｎは、その出力端子が、キーアドレス数検出ユニットＵに接続され、切替えスイッチＳＷの切替え状態に応じて、当該キーアドレス数検出ユニットＵに対して所定のキーアドレス数を送信する。
【００３０】
携帯用ミニキーボード１０には電源Ｖが備えられており、図３に示す当該携帯用ミニキーボード１０の電気回路に電源を供給する。この電源は、携帯用ミニキーボード１０に内蔵可能なものであれば、いずれの形式の電源であってもよい。
【００３１】
この様に、携帯用ミニキーボード１０が自身で電源を備えることによって、携帯用ミニキーボード１０が接続される携帯システム（図示せず）の電源に充電された電力を消費することなく、携帯用ミニキーボード１０が動作可能となる。このことによって、携帯システムの電源に充電された電力の使用時間の延長を図ることができる。
【００３２】
なお、携帯用ミニキーボード１０が自身では電源を備えない構造であってもよい。この場合には、コネクタＣを介して携帯用ミニキーボード１０が接続される携帯システムから電力を供給されることになる。
【００３３】
携帯用ミニキーボード１０には、切替えスイッチＳＷが備えられている。この切替えスイッチＳＷの“ｏｎ”，“ｏｆｆ”の切替えに従って、携帯用ミニキーボード１０の電気回路の回路Ｃ１，Ｃ２のいずれかが有効に閉じた回路となる。すなわち、切替えスイッチＳＷが“ｏｎ”のときには回路Ｃ１が有効に閉じた回路となり、切替えスイッチＳＷが“ｏｆｆ”のときには回路Ｃ２が有効に閉じた回路となる。この回路の切替えが可能となることによって、キーアドレス数出力スイッチＫＳＷ１〜ＫＳＷｍが、２種類のキーアドレス数を出力することができる。なお、各キーアドレス数出力スイッチＫＳＷｍ＋１〜ＫＳＷｎは、回路Ｃ１，Ｃ２のいずれが有効に閉じた回路であっても、必ずその有効に閉じた回路上に電気的に接続され、回路Ｃ１，Ｃ２の切替えにかかわらず、同一のキーアドレス数を出力する。
【００３４】
キーアドレス数検出ユニットＵは、各キーアドレス数出力スイッチＫＳＷ１〜ＫＳＷｍ，ＫＳＷｍ＋１〜ＫＳＷｎが出力するキーアドレス数を検出し、その検出したキーアドレス数を出力インターフェースＩに送信する。出力インターフェースＩで、その受信したキーアドレス数を所定の信号に変換し、その所定の信号を、コネクタＣを介して、携帯用ミニキーボード１０が接続される携帯システムに送信する。
【００３５】
以上のように、本発明の携帯用ミニキーボード１０は、切替えスイッチＳＷの切替えによって、一の入力キーそれぞれが２種類のキーアドレス数を出力可能になり、ＪＩＳやＡＳＣＩＩなどの標準規格で定められる全てのキーアドレス数を出力することができるので、携帯システムにインストールされるキーボード・デバイス・ドライバは、従来のフルキーボードと同一のものが使用できる。このため、使用者は、携帯システムに接続するキーボードの変更のみで、本発明の携帯用ミニキーボード１０を使用することができる。
【００３６】
［携帯用ミニキーボード１０が備える光源類の電気的構成の例］
図４は、携帯用ミニキーボード１０が備える光源類の電気的構成の例を示す図である。
【００３７】
携帯用ミニキーボード１０には、ｎ個の入力キーが備えられている。図に示す入力キーＫ１〜Ｋｎの内部には、それぞれ緑色光源ＧＤ１〜ＧＤｎ、赤色光源ＲＤ１〜ＲＤｎが備えられている。すなわち、入力キーＫｉ（ｉ＝１，・・・，ｎ）それぞれの内部には、緑色光源ＧＤｉ（ｉ＝１，・・・，ｎ）と赤色光源ＲＤｉ（ｉ＝１，・・・，ｎ）とが備えられている。ここで、ｎは、携帯用ミニキーボード１０が全部でｎ個の入力キーを備えることに由来する。
【００３８】
なお、緑色光源ＧＤ１〜ＧＤｎおよび赤色光源ＲＤ１〜ＲＤｎは、発光ダイオード、ランプ、その他有色の光を発することができる光源であれば、いずれでもよい。また、光源の緑と赤の色の組合せは、両者を容易に識別できる色の組合せであれば、いずれの色の組合せであってもよい。
【００３９】
携帯用ミニキーボード１０には電源Ｖが備えられており、図４に示す当該携帯用ミニキーボード１０の光源類の電気回路に電源を供給する。この電源は、図３に示した、電源Ｖと同一である。
【００４０】
携帯用ミニキーボード１０には、切替えスイッチＳＷが備えられている。図４に示す切替えスイッチＳＷと図３に示した切替えスイッチＳＷは同一である。この切替えスイッチＳＷの“ｏｎ”，“ｏｆｆ”の切替えに従って、携帯用ミニキーボード１０の光源類の電気回路の回路Ｃ１１，Ｃ１２のいずれかが有効に閉じた回路となる。すなわち、切替えスイッチＳＷが“ｏｎ”のときには回路Ｃ１１が有効に閉じた回路となり、切替えスイッチＳＷが“ｏｆｆ”のときには回路Ｃ１２が有効に閉じた回路となる。この回路の切替えが可能となることによって、入力キーｉ（ｉ＝１，・・・，ｎ）の内部に備えられる緑色光源ＧＤｉ（ｉ＝１，・・・，ｎ）および赤色光源ＲＤｉ（ｉ＝１，・・・，ｎ）のいずれかが発光することになる。ここで、光源ＬＤは切替えスイッチＳＷの内部に備えられる光源であるが、回路Ｃ１１が有効に閉じた回路であるときのみ有効に閉じた回路上に電気的に接続されることになり、発光する。
【００４１】
この様に、切替えスイッチＳＷの切替えによって、それぞれの入力キーの内部に備えられるキーアドレススイッチが出力するキーアドレス数が切替わるが、同時にそれぞれの入力キーの内部に備えられる互いに発する色が異なる光源が切替わることによって、使用者は、携帯用ミニキーボード１０においていずれの文字・記号が入力可能な状態にあるかを瞬時に認識することができる。また、この認識によって、携帯用ミニキーボード１０の入力操作に、容易に慣れることができる。また、それぞれの入力キー自体が、その内部に内蔵される光源によって発光することになるので、暗い場所での入力作業の作業効率の向上を図ることができる。
【００４２】
また、光源ＬＤが切替えスイッチＳＷの内部に備えられ、スイッチＳＷが“ｏｎ”のとき光源ＬＤが発光し、“ｏｆｆ”のとき消灯するので、使用者は、携帯用ミニキーボード１０においていずれの文字・記号が入力可能な状態にあるかを瞬時に認識することができる。
【００４３】
［その他の実施例］
本発明の携帯用ミニキーボード１０は、切替えスイッチＳＷの切替えによって、一の入力キーそれぞれが２種類のキーアドレス数を出力可能になり、ＪＩＳやＡＳＣＩＩなどの標準規格で定められる全てのキーアドレス数を出力することができるので、携帯システムにインストールされるキーボード・デバイス・ドライバは、従来のフルキーボードと同一のものが使用できるとした。しかし本発明はこれに限らず、本発明の携帯用ミニキーボード１０専用のキーボード・デバイス・ドライバを用意し、それを携帯システムにインストールすることによって、携帯用ミニキーボード１０を機能させることができる様にしてもよい。このとき、携帯用ミニキーボード１０が備えるそれぞれの入力キーの内部に備えられるキーアドレス数出力スイッチは、常に一のキーアドレス数のみを出力し、かつ切替えスイッチＳＷそれ自体が内部にキーアドレス出力スイッチを備える。すなわち、携帯システムにインストールされている所定のキーボード・デバイス・ドライバが、切替えスイッチＳＷのキーアドレス出力スイッチが出力するキーアドレス数と、それぞれの入力キーのキーアドレス数出力スイッチが出力するキーアドレス数との合算値を判断することによって、入力された文字・記号を判定するようにしてもよい。このようにすると、携帯用ミニキーボード１０の内部的構成をより簡単にすることができ、製造コストの削減を図ることができる。また、携帯用ミニキーボード１０のメンテナンスの容易性を得ることができ、携帯用ミニキーボード１０の稼動寿命の延長に寄与する場合がある。
【図面の簡単な説明】
【００４４】
【図１】本発明の携帯用ミニキーボード１０の概略を示す図である。
【図２】本発明の携帯用ミニキーボード１０の外観および入力キー配列の例を示す図である。
【図３】本発明の携帯用ミニキーボード１０の電気的構成の例を示す図である。
【図４】本発明の携帯用ミニキーボード１０携帯用ミニキーボード１０が備える光源類の電気的構成の例を示す図である。
【符号の説明】
【００４５】
１０    携帯用ミニキーボード
Ｃ    コネクタ
Ｃ１，Ｃ２，Ｃ１１，Ｃ１２    回路
ＬＤ    光源
ＧＤ１，・・・，ＧＤｎ    緑色光源
ＲＤ１，・・・，ＲＤｎ    赤色光源
ＳＷ    切替えスイッチ
Ｋ１，・・・，Ｋｍ，・・・，Ｋｎ    入力キー
ＫＳＷ１，・・・，ＫＳＷｍ，・・・，ＫＳＷｎ    キーアドレス数出力スイッチ
Ｕ    キーアドレス数検出ユニット
Ｉ    出力インターフェース
Ｖ    電源
【図１】
2005215969.tif 000003
【図２】
2005215969.tif 000004
【図３】
2005215969.tif 000005
【図４】
2005215969.tif 000006